(57)【要約】【課題】開き障子を簡単に閉鎖保持できると共に障子閉鎖保持具を取り外した後に跡が残らないサッシを提供する。【解決手段】本発明にかかるサッシ１は、開き障子３と、枠５と、障子閉鎖保持具７を備え、障子閉鎖保持具７は、障子３の外周側に取り付けるものであり、枠５の内周側片１９ａに第１枠係合部２３ａ又は第２枠係合部２３ｂが弾性変形して内周側から係合するものである。【選択図】図１
2015190194.tif 000002
【特許請求の範囲】
【請求項１】
開き障子と、枠と、障子閉鎖保持具を備え、障子閉鎖保持具は、障子の外周側に取り付けるものであり、枠の内周側片に、弾性変形して内周側から係合する係合部を備えることを特徴とするサッシ。
【発明の詳細な説明】
【技術分野】
【０００１】
本発明は、外倒しサッシや突出しサッシ等の障子が室外側又は室内側に移動して開くサッシに関する。
【背景技術】
【０００２】
オペレータ装置で障子を開閉する開き形式のサッシは、建物に枠を施工後、オペレータ装置の取り付け工事を行なうまでの期間、障子を閉鎖状態で枠に保持する必要がある。従来、かかる障子の閉鎖は、ガムテープで障子を枠に固定したり、アングル等の部材を枠や躯体にねじで固定していた。
【先行技術文献】
【特許文献】
【０００３】
【特許文献１】なし
【発明の概要】
【発明が解決しようとする課題】
【０００４】
しかし、ガムテープによる障子の固定では閉鎖保持の信頼性に劣ると共にガムテープを除去した後にサッシ表面に粘着剤が残るという不都合があり、アングル等の部材をねじ固定する場合にはねじ孔が残るという問題があった。
【０００５】
そこで、本発明は、開き障子を簡単に閉鎖保持できると共に障子閉鎖保持具を取り外した後に跡が残らないサッシの提供を目的とする。
【課題を解決するための手段】
【０００６】
請求項１に記載の発明は、開き障子と、枠と、障子閉鎖保持具を備え、障子閉鎖保持具は、障子の外周側に取り付けるものであり、枠の内周側片に、弾性変形して内周側から係合する係合部を備えることを特徴とするサッシである。
開き障子とは、枠の室内側又は室外側へ動かして開く障子であり、外倒しサッシ、突出しサッシ、すべり出しサッシ、内倒しサッシ、開きサッシ、回転サッシ等の障子をいう。
【発明の効果】
【０００７】
請求項１に記載の発明によれば、障子の外周に取り付けた障子閉鎖保持具を枠に係合するだけで、障子を簡単に枠に閉鎖保持できる。障子閉鎖保持具は、係合部を枠から外して障子を開いた後に障子の外周側から取り外すことで取り外しできるので、従来技術のような粘着剤やねじ孔等の跡が残らない。
【図面の簡単な説明】
【０００８】
【図１】本発明の第１実施の形態にかかるサッシの上枠側を示す縦断面図であり、（ａ）は障子閉鎖保持具の一の使用状態を示す図、（ｂ）は障子閉鎖保持具の他の使用状態を示す図である。
【図２】本発明の第１実施の形態にかかるサッシに使用する障子閉鎖保持具の図であり、（ａ）は正面図、（ｂ）は平面図であり、（ｃ）は右側面図である。
【図３】本発明の第１実施の形態にかかるサッシの縦断面図であり、障子閉鎖保持具を用いた障子の閉鎖方法を説明する図である。
【図４】本発明の第２実施の形態にかかるサッシの上枠側を示す縦断面図であり、（ａ）は障子閉鎖保持具の一の使用状態を示す図であり、（ｂ）は障子閉鎖保持具の他の使用状態を示す図である。
【図５】本発明の第２実施の形態にかかるサッシに使用する障子閉鎖保持具の図であり、（ａ）は正面図であり、（ｂ）は底面図である。
【図６】本発明の第２実施の形態にかかるサッシに用いられる障子閉鎖保持具の障子への取り付け方を説明する図であり、（ａ）は一の障子の上側をキャップを除いて示す平面図であり、（ｂ）は（ａ）のＡ−Ａ断面図、（ｃ）は他の障子の上側をキャップを除いて示す平面図であり、（ｄ）は（ｃ）のＢ−Ｂ断面図である。
【図７】本発明の第３実施の形態にかかるサッシの上枠側を示す縦断面図であり、（ａ）は障子閉鎖保持具の一の使用状態を示す図であり、（ｂ）は障子閉鎖保持具の他の使用状態を示す図である。
【図８】本発明の第３実施の形態にかかるサッシに使用する障子閉鎖保持具の正面図である。
【図９】本発明の第４実施の形態にかかるサッシの縦断面図である。
【図１０】本発明の第４実施の形態にかかるサッシの右枠側の横断面図である。
【図１１】本発明の第４実施の形態にかかるサッシに使用する障子閉鎖保持具の図であり、（ａ）は正面図であり、（ｂ）は平面図である。
【図１２】本発明の第２実施の形態の変形例にかかるサッシの上枠側を示す縦断面図であり、（ａ）は障子閉鎖保持具の一の使用状態を示す図、（ｂ）は障子閉鎖保持具の他の使用状態を示す図である。
【図１３】本発明の第２実施の形態の変形例にかかるサッシに使用する障子閉鎖保持具の正面図である。
【発明を実施するための形態】
【０００９】
以下に、添付図面を参照して本発明の実施の形態を説明するが、まず、図１〜図３を参照して本発明の第１実施の形態について説明する。
図３に示すように、第１本実施の形態にかかるサッシ１は、外倒しサッシであり、開き障子（以下、単に「障子」という）３と、枠５と、障子閉鎖保持具７とを備えている。図３に示すサッシ１では、建物に枠５と障子３を施工後、障子３を開閉するオペレータ装置の取り付け工事をする前の状態であり、オペレータ装置を取り付けるまで、障子閉鎖保持具７により障子３の閉鎖状態を保持している。
図１（ａ）に示すように、障子３の外周側部９には障子３の室外側で外周側に突設する第１外周側片部９ａと、溝部９ｂが形成されている。本実施の形態では、障子３の外周側部９は、上框の上端部である。第１外周側片部９ａは、障子閉鎖保持具７を取り外したときに、枠５に設けた室外側タイト材１３（後述する）に当接して気密に保持するものであり、溝部９ｂは、枠５と障子３の間に入り込んだ雨水等を排水する為のもので障子の周方向に形成されている。
枠５の内周側部１１には、室外側に上述した室外側タイト材１３の取付部１５が形成してあり、室内側に内周側片１９が内周側に突設して設けてある。本実施の形態では、枠５の内周側部１１は上枠の下側部であり、内周側片１９は室内側タイト材１７の取付部１９を設けた突設片である。
【００１０】
障子閉鎖保持具７は、障子３の外周側部９と枠５の内周側部１１との間で且つ障子外周側部９の見付け方向の略中央部に１つ取り付けてある。
障子閉鎖保持具７は、図２（ａ）に示すように、障子係合部２１と、障子係合部２１を挟んで設けた２つの枠係合部２３ａ、２３ｂとを一体に備えている。
障子係合部２１は、外周側係合部２５と、外周側係合部２５を挟む第１内周側係合部２７ａと第２内周側係合部２７ｂを備えており、外周側係合部２５には障子３の外周側部９に係合する第１外周側係合部２５ａと、第２外周側係合部２５ｂとが隣接して形成してある。図１（ａ）に示すように、第１外周側係合部２５ａは第２外周側係合部２５ｂよりも溝幅の狭い溝状であり、第１外周側片部９ａに上から嵌めて取り付けるものであり、図１（ｂ）に示すように、第２外周側係合部２５ｂは第１外周側係合部２５ａよりも溝幅の広い溝状であり、第２室外側片部９ｃに上から嵌めて取り付けるものである。第１外周側係合部２５ａと、第２外周側係合部２５ｂとは隣合わせに設けると共に互いに溝の開口を反対側にしている。
図２（ａ）に示すように、外周側係合部２５には、第１見付け部２９ａと第２見付け部２９ｂとが形成してあり、図１（ａ）に示すように、第１外周側係合部２５ａを障子外周側部９の第１外周側片部９ａに係合したときに、第２見付け部２９ｂは枠５の室外側見付け面５ａに室外側から対面して位置し、図１（ｂ）に示すように、第２外周側係合部２５ｂを障子外周部９の第２室外側片部９ｃに係合したときには、第１見付け部２９ａは枠５の室外側見付け５ａに室外側から対面して位置する。
図１及び図２に示すように、外周側係合部２５には、障子３の外周側に突設する周方向突設部３８と障子の見込み方向に突設する見込み方向突設部４０が形成してある。図１（ｂ）に示すように、周方向突設部３８は第１外周側係合部２５ａと第２外周側係合部２５ｂの間に設けて第２外周側係合部２５ｂの溝を深めている。
第１及び第２内周側係合部２７ａ、２７ｂは、各々Ｌ字形状を成しており、図１（ａ）（ｂ）に示すように、障子５の外周側見込面３ａに対向する見込部３３と、外周側見付け面３ｂに対応する見付け部３５とが設けてある。
第１内周側係合部２７ａと外周側係合部２５との間には、切断を容易にする切り欠を設けた第１切除部３７ａが形成されており、第２内周側係合部２７ｂと外周側係合部２５との間には、切断を容易にする切り欠を設けた第２切除部３７ｂが形成されている。
第１枠係合部２３ａは、第１内周側係合部２７ａに連続してあり、第２枠係合部２３ｂは第２内周側係合部２７ｂに連続してある。第１枠係合部２３ａと第２枠係合部２３ｂとは、図２及び図１（ａ）（ｂ）に示すように同一形状であり、円弧状に湾曲して弾性変形可能に形成した弾性変形部３９と、弾性変形部３９の先端に設けて、枠５の内周側片１９ａに室内側で下から係合する断面Ｌ字形状を成す係合端部４１が形成されている。
【００１１】
次に、第１実施の形態にかかるサッシ１における障子３の閉鎖保持について説明するが、まず、図１（ａ）及び図３に示すように、障子外周部９の見込み寸法が小さい種類のサッシに使用する場合について説明する。
図１（ａ）に示すように、障子閉鎖保持具７において、第２内周側係合部２７ｂと共に第２枠係合部２３ｂを第２切除部３７ｂから切除する。
次に、図３に二点鎖線で示すように、開き位置にある障子３の外周側部９に、障子閉鎖保持具７の障子係合部２１を係合して取り付ける。障子係合部２１の係合は、外周側係合部２５の第１外周側係合部２５ａを障子の３の第１外周側片部９ａに上から嵌め入れる。このようにして障子閉鎖保持具７を障子３に取り付けた状態で、障子３を枠５側に向けて回動して枠５の内周側に配置し、第１枠係合２３ａが内周側片１９ａに位置したところで、第１枠係合部２３ａを弾性に変形するように指で押し下げて内周側片１９ａの内周側を通過させた後、指を放して第１枠係合部２３ａを弾性復帰させて、係合端部４１を内周側片１９ａに室内側で下方から係合させる。
障子閉鎖保持具７をサッシ１から外す場合には、第１枠係合部２３ａを指で押し下げて弾性変形させて枠５から外し、次に障子３を開いた後に、障子閉鎖保持具７を障子３の外周側部９から取り外す。
【００１２】
一方、図１（ｂ）に示すように、障子外周部９の見込み寸法が図１（ａ）に示すサッシ１よりも厚い種類のサッシに使用する場合には、障子閉鎖保持具７において、第１内周側係合部２７ａと共に第１枠係合部２３ａを第１切除部３７ａから切除する。
そして、図１（ａ）の場合と同様にして、図３に二点鎖線で示す開き位置にある障子３の外周側部９に、障子閉鎖保持具７の障子係合部２１を係合して取り付ける。図１（ｂ）に示すように、障子係合部２１の係合は、第２外周側係合部２５ｂを障子３の第２外周側片部９ｃに上から嵌め入れる。枠５との係合は、図１（ａ）の場合と同様に、第２枠係合部２３ｂを下方に押し下げて弾性変形させ、内周側片１９ａの内周側を通過させた後、指を放して第１枠係合部２３ａを弾性復帰させて、係合端部４１を室内側タイト材取付部１９の内周側片１９ａに室内側で下方から係合させる。
障子閉鎖保持具７をサッシ１から外す場合には、図１（ａ）に示す使用態様と同様に、第２枠係合部２３ｂを指で押し下げて弾性変形させて枠５から外し、障子３を開いた後に、障子閉鎖保持具７を障子３の外周側部９から取り外す。
【００１３】
次に、本実施の形態にかかるサッシの作用効果について説明する。
本実施の形態によれば、図１（ａ）に示す使用態様では、障子３の外周に取り付けた障子閉鎖保持具７の第１枠係合部２３ａを枠５に係合するだけで、障子３を簡単に枠５に閉鎖保持できる。同様に、図１（ｂ）に示す使用態様でも、障子３の外周に取り付けた障子閉鎖保持具７の第２枠係合部２３ｂを枠５に係合するだけで、障子３を簡単に枠５に閉鎖保持できる。
障子閉鎖保持具７は、図１（ａ）に示す使用態様では第１枠係合部２３ａを、図１（ｂ）に示す使用態様では第２枠係合部２３ｂを枠５から外して障子３を開いた後に、障子３の外周側から取り外すことで取り外しできるので、障子閉鎖保持具７を外した後に、従来技術のような粘着剤やねじ孔等の跡が残らない。
【００１４】
図１（ａ）に示すように、障子閉鎖保持具７で障子３の閉鎖を保持しているときには、枠５の内周側片１９ａを第１枠係合部２３ａで室内側から押さえ、枠５の室外側見付け面５ａを室外側から第２見付け部２９ｂで押えて、枠５を室内外方向から挟んで保持していると共に、障子３は、第１外周側係合部２５ａと第１内周側係合部２７ａの見付け部３５で室内外方向から挟んで保持している。同様に、図１（ｂ）に示す使用態様の場合でも、障子閉鎖保持具７は、枠５の内周側片１９ａを第２枠係合部２３ｂで室内側から押さえ、枠５の室外側見付け面５ａを室外側から第１見付け部２９ａで押えて、枠５を室内外方向から挟んで保持していると共に、障子３は、第２外周側係合部２５ｂと第２内周側係合部２７ｂの見付け部３５で室内外方向から挟んで保持している。このように、図１（ａ）及び図１（ｂ）に示すいずれの使用態様の場合でも、枠５を室内外方向から挟んで保持していると共に、障子３を室内外方向から挟んで保持しているので、枠５及び障子３にしっかり保持できるので、障子閉鎖保持具７をサッシ１に取り付けて工場から施工現場へ運搬した場合でも、障子閉鎖保持具７の外れやずれを防止できる。
障子閉鎖保持具７は、室外側タイト材１３及び室内側タイト材１７に圧接しない位置で障子３を閉鎖状態で保持しているから、各タイト材１３、１７に障子閉鎖保持具７の跡が残らないので、障子閉鎖保持具７を取り外した後に、各タイト材１３、１７の水密・気密性に悪影響を及ぼさない。
障子閉鎖保持具７は、その第１枠係合部２３ａ及び第２枠係合部２３ｂが各々、枠５の内周側片１９ａに、障子３の開き方向（室外側）と反対側（室内側）から係合するので、障子３の開き方向の力に対向できるから、障子３をしっかり保持できる。
図１（ａ）（ｂ）及び図２に示すように、障子閉鎖保持具７は、障子３に対する係合部を第１外周側係合部２５ａと第２外周側係合部２５ｂとして複数設け、枠５の内周側片１９ａに対する係合部を、第１枠係合部２３ａと第２枠係合部２３ｂとして複数設けているので、サッシ１の形状や寸法に合わせて各係合部２５ａ、２５ｂ及び２３ａ、２３ｂを選択自在であり、一つの障子閉鎖保持具７で複数の種類のサッシ１に用いることができる。
【００１５】
図１（ａ）に示すように、障子閉鎖保持具７が障子３に係合する外周側係合部２５には、周方向突設部３８を設けて、枠５の内周側部１１との間隔を狭めているので、障子閉鎖保持具７が抜け難い。
また、図１（ｂ）に示すように、周方向突設部３８は第２外周側係合部２５ｂの溝を深くして第２室外側片部９との係合を深めているので、障子閉鎖保持具７が抜け難い。
障子閉鎖保持具７には、外周側係合部２５と第１枠係合部２３ａとの間及び外周側係合部２５と第２枠係合部２３ｂとの間に各々切除部３７ａ、３７ｂを各々設けているので、図１（ａ）に示すように、第２枠係合部２３ｂを使用しない場合には第２切除部３７ａから切除し、同様に図１（ｂ）に示すように、第１枠係合部２３ａを使用しない場合には第１切除部３７ａから切除して用いることで、第１枠係合部２３ａ又は第２枠係合部２３ｂの一方を選択して用いるときに他方が邪魔にならない。
【００１６】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図４〜図６に、本発明の第２実施の形態にかかるサッシ１を示す。図５に示すように、この第２実施の形態では、障子閉鎖保持具７は、一つの枠係合部２３と障子係合部２１とを有し、障子係合部２１の外周側係合部２５では、第１外周側係合部２５ａを切除部３７から切除可能にしてある。
また、図５（ａ）及び図４に示すように、枠係合部２３は、係合端部４１に第１係合端部４１ａと第２係合端部４１ｂとの２つの係合端部が段差状にして形成してある。第１係合端部４１ａは、図４（ａ）に示すように、枠５の内周側片１９ａに下側で室内側から当接するＬ字形状としてある。第２係合端部４１ｂは、図４（ｂ）に示すように、枠５の内周側片１９ａに室内側から当接する突設部としてある。
図４（ａ）（ｂ）に示すように、第１外周側係合部２５ａ及び第２外周側係合部２５ｂは、各々障子３の外周側部９において溝部９ｂに嵌合する形状であり室外側を向いた突部である。溝部９ｂは、上述したように枠５と障子３の間に入り込んだ雨水等を排水する為のものであり、第２外周側係合部２５ｂは、第１外周側係合部２５ａよりも外周側で室内側に位置する構成としてある。また、図５に示すように、第１外周側係合部２５ａ及び第２外周側係合部２５ｂは、障子閉鎖保持具７の幅方向の一側で幅Ｌの寸法で形成してある。
【００１７】
図４（ａ）に示すように、障子３の見込み寸法が小さい種類のサッシの場合には、第１外周側係合部２５ａを切除部３７から切除して第２外周側係合部２５ｂを溝部９ｂに嵌め入れる。
図４（ｂ）に示すように、障子の見込み寸法が図４（ａ）に示すサッシよりも大きいサッシ１の場合には、第１外周側係合部２５ａを障子３の溝部９ｂに係合して、第２外周側係合部２５ｂは障子３の外周側部９の外周側見込面３ａに当接した状態にする。
【００１８】
障子閉鎖保持具７の障子３への取り付け及び取り外しは、第１実施の形態と同様に図３に示す障子３の開き位置において、障子３に取り付けたり外したりする。
一方、障子閉鎖保持具７では、図４（ａ）に示す障子３に使用する場合には、切除部３７から第１外周側係合部２５ａを切除する。そして、図６（ａ）（ｂ）に示すように、障子３の竪框３ｄにおいてタイト材取付け部４３と竪框本体３ｅとの間の隙間部分Ｈに第２外周側係合部２５ｂを当接して配置し、そのまま内周側へスライドすることで、第２外周側係合部２５ｂを外周側部９の溝部９ｂに係合する。
図４（ｂ）に示す障子の見込み寸法が大きい障子３に使用する場合には、第１外周側係合部２５ａと第２外周側係合部２５ｂとを設けた状態のまま、図６（ｃ）（ｄ）に示すように、障子３の竪框３ｄにおいてタイト材取付け部４３と竪框本体３ｅとの間の隙間部分Ｈに第１外周側係合部２５ａを当接して配置し、そのまま内周側へスライドすることで、第１外周側係合部２５ａを溝部９ｂに係合する。尚、第２外周側係合部２５ｂは障子外周側部９の外周側見込面３ａに当接した状態にある。
この第２実施の形態では、図４（ａ）に示すように、障子３の外周側部９の見込み寸法が図４（ｂ）に示す障子よりも小さい場合の使用例では、図３に示す第１実施の形態と同様に、開き状態にある障子３に障子閉鎖保持具７を取り付けた後、障子３を閉じ位置へ回動してくると、枠係合部２３は図４（ａ）に一点鎖線で示す軌跡上を移動し、湾曲面部２２が枠５の室内側タイト材の取付部１９の下端に当接して押し下げられ、枠５を通過した後に、弾性復帰して第１係合端部４１ａが内周側片１９ａに室内側で下方から係合する。
一方、図４（ｂ）に示す使用例では、枠５の見込み寸法が図４（ａ）の場合よりも大きいので、枠係合部２３が枠５を通過した後に、弾性復帰して第２係合端部４１ｂの先端が内周側片１９ａに室内側から係合する。
【００１９】
次に、第２実施の形態にかかるサッシ１の作用効果について説明する。
図４（ａ）（ｂ）に示すように、第２実施の形態によれば、障子３の外周に取り付けた障子閉鎖保持具７の枠係合部２３を枠５に係合するだけで障子３を簡単に枠５に閉鎖保持できる。
障子閉鎖保持具７は、枠係合部２３を枠５から外して障子３を開いた後に、障子３の外周側から取り外すことで取り外しできるので、従来技術のような粘着剤やねじ孔等の跡が残らない。
【００２０】
障子閉鎖保持具７は、図４（ａ）に示す使用状態では、第２外周側係合部２５ｂと第１内周側係合部２７ａの見付け部３５で室内外方向から挟んで障子３を保持しており、同様に、図４（ｂ）に示す使用態様の場合でも、障子閉鎖保持具７は、第１外周側係合部２５ａと第１内周側係合部２７ａの見付け部３５で室内外方向から挟んで障子３を保持しているので、障子閉鎖保持具７を障子３にしっかり保持できる。
障子閉鎖保持具７は、室外側タイト材１３及び室内側タイト材１７に圧接しない位置で障子３を閉鎖状態で保持しているから、各タイト材１３、１７に障子閉鎖保持具７の跡が残らないので、障子閉鎖保持具７を取り外した後に、各タイト材１３、１７の水密・気密性に悪影響を及ぼさない。
障子閉鎖保持具７は、その枠係合部２３が枠５の内周側片１９ａに、障子３の開き方向（室外側）と反対側（室内側）から係合するので、障子３の開き方向の力に対向できるから、障子３をしっかり保持できる。
図４（ａ）（ｂ）及び図５に示すように、障子閉鎖保持具７は、障子３に対する係合部を第１外周側係合部２５ａと第２外周側係合部２５ｂとして複数設けているので、障子３の形状や寸法に合わせて各外周側係合部２５ａ、２５ｂを選択自在である。
【００２１】
図６に示すように、第２実施の形態では、障子閉鎖保持具７は、竪框３ｄのタイト材取付部４３と竪框本体３ｅとの間の隙間部分に第１外周側係合部２５ａ又は第２外周側係合部２５ｂを当接させて内周側にスライドして装着できるので、障子閉鎖保持具７の装着が簡単にできる。
障子３が開き位置にあるときに障子３に障子閉鎖保持具７を取り付けた後、障子３を枠５に対して閉じるだけで、枠係合部２３が室内側タイト材取付部１９により押し下げられて枠係合部２３を枠５に係合でき、指で枠係合部２３を押し下げる必要がないので、操作性が良い。
枠係合部２３は一つのみであり、第１外周側係合部２５ａ及び第２外周側係合部２５ｂは、障子３の外周部に形成してある溝部９に係合する構成としてあるので、第１実施の形態に比較して障子閉鎖保持具７をコンパクトで小型にできる。
図４（ａ）（ｂ）に示すように、枠係合部２３には、第１係合端部４１ａと第２係合端部４１ｂとの２つの係合端部を枠５の見込み方向に並んで設けているので、枠５の見込み寸法が異なる場合に選択的に枠５の内周側片１９ａに係合できる。
【００２２】
図７〜図８に第３実施の形態を示す。この第３実施の形態では、上述した第２実施の形態において、第１外周側係合部２５ａ及び第２外周側係合部２５ｂの形状と枠係合部２３の形状が異なっている。
図７（ａ）（ｂ）に示すように、枠係合部２３は見付面部３５から略直角に屈曲して障子の見込み方向で室内側に突出する見込み片部２３ｃと、見込み片部２３ｃの外周側へ鋭角を成して傾斜し、見込み方向に略並行に突設する第１係合端部４１ａ及び第２係合端部４１ｂとが形成してある。そして、第２係合端部４１ｂの先端は、第１係合端部４１ａの先端よりも室外側で且つ内周側に位置している。
この第３実施の形態では、図７（ａ）に示すように障子３の外周側部９の見込み寸法が図７（ｂ）に示す障子よりも小さい場合の使用例では、図３に示す第１実施の形態と同様に、開き状態にある障子３に障子閉鎖保持具７を取り付けた後、障子３を閉じ位置へ回動してくると、枠係合部２３は図７（ａ）に一点鎖線で示す軌跡上を移動し、第１係合端部４１ａが枠５の室内側タイト材の取付部１９の下端に当接して押し下げられ、枠５を通過した後に、弾性復帰して第１係合端部４１ａの先端が内周側片１９ａに室内側から係合する。
一方、図７（ｂ）に示す使用例では、枠５の見込み寸法が図７（ａ）の場合よりも大きいので、枠係合部２３が枠５を通過した後に、弾性復帰して第２係合端部４１ｂの先端が内周側片１９ａに室内側から係合する。
この第３実施の形態によれば、上述した第２実施の形態と同様の作用効果を奏することができる。
【００２３】
図９〜図１１を参照して、本発明の第４実施の形態にかかるサッシ１を説明する。図１０及び図１１に示すように、この第４実施の形態では、障子閉鎖保持具７において、障子係合部２１は、右竪框３ｄの外周側面に形成してある穴４６に嵌合する形状としてある。右竪框３ｄの穴４６は、障子３の框を組み立てる際に使用するねじ止め用の穴である。尚、枠係合部２３は第１実施の形態における第１枠係合部２３ａと同様の形状としてある。
この第４実施の形態によれば、第１実施の形態と同様に、図９に示すように、障子３の外周側に取り付けた障子閉鎖保持具７の枠係合部２３を枠５に係合するだけで障子３を簡単に枠５に閉鎖保持できる。
障子閉鎖保持具７は、枠係合部２３を枠５から外して障子３を開いた後に、障子３の外周側から取り外すことで取り外しできるので、従来技術のような粘着剤やねじ孔等の跡が残らない。
【００２４】
図９に示すように、障子閉鎖保持具７は、室内側タイト材１７に圧接しない位置で障子３を閉鎖状態で保持しているから、室内側タイト材１７に障子閉鎖保持具７の跡が残らないので、障子閉鎖保持具７を取り外した後に、室内側タイト材１７の水密・気密性に悪影響を及ぼさない。尚、室外側タイト材１３には当接しないので、室外側タイト材１３に悪影響を及ぼすことがない。
障子閉鎖保持具７は、その枠係合部２３が枠５の内周側片１９ａに、障子３の開き方向（室外側）と反対側（室内側）から係合するので、障子３の開き方向の力に対向できるから、障子３をしっかり保持できる。
第４実施の形態では、図１０に示すように、竪框３ｄの組み立て用穴４６に障子係合部２１を嵌め入れて係合するから、構成が簡易であり且つ障子閉鎖保持具を障子３にしっかりと固定できる。
【００２５】
本発明は、上述した実施の形態に限らず、本発明の要旨を逸脱しない範囲で種々変形可能である。
例えば、第２及び第３実施の形態において、第１外周側係合部２５ａと第２外周側係合部２５ｂとの突設方向は、図１２に示すように、室内側を向くようにしても良く、第１外周側係合部２５ａと第２外周側係合部２５ｂの向きや形状は制限されない。
第２実施の形態において、枠係合部２３の係合端部４１は、図１３に示すように、階段状に２つの第１係合端部４１ａと第２係合端部４１ｂを形成して、第１係合端部４１ａ及び第２係合端部４１ｂが共に、内周側片１９ａにその下端と室内側面との両方に当接して、室内側と下方側とから係合するようにしても良い。この場合には、第１係合端部４１ａ及び第２係合端部ともに、内周側片１９ａにしっかりと係合することができる。同様に、第１実施の形態や第３実施の形態においても、係合端部４１を階段状の第１係合端部４１ａと第２係合端部４１ｂとに形成しても良い。
障子３は、枠５の室内側又は室外側へ動かして開く障子であれば良く、外倒しサッシの障子３に限らず、突出しサッシ、すべり出しサッシ、内倒しサッシ、開きサッシ、回転サッシ等の障子であっても良い。尚、サッシ１が内倒しサッシ等の障子３が室内側へ動かして開く場合には、上述した実施の形態において枠係合部２３、２３ａ、２３ｂは、枠５の室外側に設けた内周側片１９ａに係合して、障子閉鎖保持具７が障子３の閉じ状態を保持する。
第１〜第３実施の形態において、障子閉鎖保持具７は一つだけ用いて障子３の閉鎖を保持していたが、周方向に間隔をあけて２つ又は３つ設けても良く、障子閉鎖保持具７を使用する数や位置は制限されない。また、第４実施の形態において、障子閉鎖保持具７は左右の竪框３ｄ、３ｄに各々取り付けても良い。
第２及び第３実施の形態において、外周側係合部２５の第１外周側係合部２５ａと第２外周側係合部２５ｂとの見込み寸法は、溝部９ｂの溝幅と略同じ寸法にすることに限らず、それよりも小さい寸法であっても良い。
【符号の説明】
【００２６】
１    サッシ
３    障子（開き障子）
７    障子閉鎖保持具
１９ａ    内周側片
２３  枠係合部（係合部）
２３ａ  第１枠係合部（係合部）
２３ｂ  第２枠係合部（係合部）
【図１】
2015190194.tif 000003
【図２】
2015190194.tif 000004
【図３】
2015190194.tif 000005
【図４】
2015190194.tif 000006
【図５】
2015190194.tif 000007
【図６】
2015190194.tif 000008
【図７】
2015190194.tif 000009
【図８】
2015190194.tif 000010
【図９】
2015190194.tif 000011
【図１０】
2015190194.tif 000012
【図１１】
2015190194.tif 000013
【図１２】
2015190194.tif 000014
【図１３】
2015190194.tif 000015